(57)【要約】【課題】特に微細径ドリルにおいて、シンニング面の加工精度を向上させることによって、ドリル自体の耐久性を向上させる。【解決手段】シンニング加工をしようとするドリルを保持可能なチャックユニット２０と、回転砥石１１を有し特定の位置に設置固定された砥石ユニット１０と、前記ドリルのシンニング加工状態において、該ドリルのシンニング加工部が前記砥石の切削面に対して揺動するように、前記チャックユニット２０を所定の位置を中心とする曲面に沿って回動させる回動機構と、を備えてドリル３のシンニング装置を構成する。【選択図】図１１
2007203427.tif 000002
【特許請求の範囲】
【請求項１】
シンニング加工をしようとするドリルを保持可能なチャックユニットと、
回転砥石を有する砥石ユニットと、
前記ドリルのシンニング加工状態において、該ドリルのシンニング加工部が前記砥石の切削面に対して揺動するように、前記チャックユニットを所定の位置を中心とする曲面に沿って回動させる回動機構と、
を備えたことを特徴とするドリルのシンニング装置。
【請求項２】
請求項１において、
前記ドリルが、直径が０．５ｍｍ以下の微細径ドリルである
ことを特徴とするドリルのシンニング装置。
【請求項３】
請求項１又は２において、
前記回動機構が、少なくとも前記ドリルの軸方向の位置を固定したまま、前記チャックユニットを回動する
ことを特徴とするドリルのシンニング装置。
【請求項４】
請求項１乃至３のいずれかにおいて、
前記回転砥石は、自身の回転中心を通る断面端部が円弧とされ、
前記所定の位置は、前記円弧の中心である
ことを特徴とするドリルのシンニング装置。
【請求項５】
請求項１乃至３のいずれかにおいて、
前記所定の位置は、前記ドリルの軸心である
ことを特徴とするドリルのシンニング装置。
【請求項６】
ドリルに対するシンニング形成方法であって、
回転砥石により前記ドリルにシンニングを形成した状態で、該ドリルのシンニング加工部を前記回転砥石の切削面に対して揺動するように、前記ドリルを保持するチャックユニットを所定の位置を中心とする曲面に沿って回動する工程を含む
ことを特徴とするドリルのシンニング形成方法。
【請求項７】
請求項６において、
前記ドリルは、直径が０．５ｍｍ以下の微細径ドリルである
ことを特徴とするドリルのシンニング形成方法。
【請求項８】
請求項６又は７において、
前記回動は、少なくとも前記ドリルの軸方向の位置を固定したまま、前記チャックユニットを回動する
ことを特徴とするドリルのシンニング形成方法。
【請求項９】
請求項６乃至８のいずれかにおいて、
前記回転砥石は、自身の回転中心を通る断面端部が円弧とされ、
前記所定の位置は、前記円弧の中心である
ことを特徴とするドリルのシンニング形成方法。
【請求項１０】
請求項６乃至８のいずれかにおいて、
前記所定の位置は、前記ドリルの軸心である
ことを特徴とするドリルのシンニング形成方法。
【発明の詳細な説明】
【技術分野】
【０００１】
本発明は、ドリルの性能を向上させるためにドリル先端に施される、シンニングに関する。
【背景技術】
【０００２】
近年、産業界においては、高密度プリント基板をはじめ、ディーゼルエンジン用燃料噴射ノズルや、化繊紡糸ノズル、ベアチップの半田ボール用治具等に対する微細孔あけの要請が急速に増してきている。又、これらの微細孔あけ用途においては、例えば孔の直径０．２ｍｍに対して深さ４ｍｍ等のように、非常に高いアスペクト比の孔あけが要求されるものもある。これらの微細深孔加工では、切削時において切削する先端の加工点が間欠的にせよ被削材である素材の中に長く留まり、先端から発生する熱の逃げ場がないという性質上、加工点（ドリル先端と孔あけ対象部材の接触点）の温度が非常に高くなるため、高温でも軟化し難い超硬合金からなるツイストドリルが主として使われている。
【０００３】
しかしながら、超硬合金は靭性が低いため、微細径ではチッピングを起こし易いという欠点がある。最近では、ＷＣ（タングステンカーバイト）の結晶粒の微細化により、靭性や硬さを向上させる試みもなされているが、実用性の面でまだ不十分である。
【０００４】
更には、この様な微細径の深孔加工においては、切粉の排出が困難である上、加工点の温度が高いため、切粉の溶着が発生し易いという問題がある。ドリルの先端に溶着物が付着すると、ドリル本来の穿孔機能が著しく低められるが、微細径のドリルの場合、極めて小さなサイズの溶着物がドリル全体の大きさに対して相対的に非常に大きく影響するため、この溶着物による悪影響は、通常のドリルの比ではない。
【０００５】
このような観点から、発明者らは、いわゆるシンニング加工に着目した。シンニング加工とは、ドリルの先端に特定形状の切り欠き部を形成することである。ドリルにおける孔あけ加工においては、ドリル先端のいわゆる「チゼル」が、素材に対して軸方向に押圧され、素材を塑性変形させることで素材の除去加工を行うため、チゼルによる素材の押圧力は大きな方が好ましい。この点、太いドリルでは十分な強度があるために、大きな軸方向押圧力を得ることができるが、微細径ドリルでは大きな軸方向押圧力はドリル自身の座屈折損を招く。よって、微細径ドリルになるほど「チゼル」自体をシンニング加工により小さくして、ドリル自身が座屈折損しない程度の軸方向の押圧力においても、チゼル部分の押圧力を稼ぐようにすることが望まれる。その目的達成のため、シンニング加工によりチゼル部分を小さくし、結果として加工点の温度を低減させると共に、切削の際に生じる切粉の排出性を良くし、この切粉がドリルに溶着することを低減させる。このシンニング加工自体は公知の技術である。
【０００６】
この技術は、径の細いドリルになればなるほど回転対称に精度良く加工することが求められ、特に径が３ｍｍ以下の細い径のドリルでシンニング加工された市販品は非常に少ないのが現状である。
【０００７】
ドリルの先端にシンニング加工を施すための装置としては、従来、特許文献１に自動ドリル研磨機が、特許文献２にドリル研削装置がそれぞれ開示されている。
【０００８】
特許文献１に記載の自動ドリル研磨機は、回転砥石と、砥石移動手段と、チャックと、チャック回転手段と、チャック傾動手段と、チャック移動手段と、ドリル刃先検出センサと、を備え、該制御手段からの制御信号に基づいて前記砥石移動手段、チャック回転手段、チャック傾動手段及びチャック移動手段を作動させるサーボ機構を制御するものである。 
【０００９】
一方、特許文献２に記載のドリル研削装置は、Ｘ軸テーブルと、Ｙ軸テーブルと、Ｙ軸テーブルに配置されたＺ軸テーブルと、Ｚ軸テーブルに水平且つＸ軸方向に平行に配置されてドリルをチャックする機能を有する割出主軸と、Ｘ軸テーブルに配置され、ドリルに対して直交する位置から所定の角度位置まで水平に旋回自在な砥石軸テーブルと、砥石軸テーブルに配置された砥石軸モータと、外周面とこれに連なる基端部外周面がドリルの先端角とパイロットの先端角に応じた形状をなし、砥石軸モータの回転軸に固定された回転砥石と、を備えるもので、各テーブル、割出主軸及び砥石軸モータを制御しながらドリルを移動・回転させ、一方、回転砥石を回転させてドリルの切れ刃及びパイロット切れ刃に接触させながらパイロットの付根部を中心に旋回させることにより、ドリルの切れ刃とパイロット切れ刃と逃げ面とを同時に研削するものである。
【００１０】
いずれの装置も回転砥石によってドリルの先端部分にシンニング加工を施すことができると謳われている。
【００１１】
【特許文献１】特開平１０−２１７０７３号公報
【特許文献２】特開２００４−１４２０５７号公報
【発明の開示】
【発明が解決しようとする課題】
【００１２】
微細径ドリルの場合はドリル径が小さいため、ドリル本体部が折損し易い性質をもともと有している。例えば、１つの基板に無数の微細孔加工が要求されるプリント基板加工時においてドリルが折損してしまうと、当該折損が基板自体にも不完全孔の加工や回路パターンの損傷等の悪影響を与えるため、基板自体も破棄する必要がある。特に無数の孔加工の最終段階でこのような事態が生じれば、基板自体は勿論のことそれまでの加工に要した時間が無駄となり、基板製作の歩留まりは非常に悪化することになる。
【００１３】
前述したように、ドリルの先端にシンニングを形成することによって、ドリルの切削性能を向上させると共に耐久性を向上させることが可能である。しかし、上記特許文献１及び特許文献２に記載されているような装置では、アスペクト比の高い、特に、微細な孔加工を施すためのドリル（例えばドリルの直径が０．５ｍｍ以下のドリル）に対するシンニング加工を歩留まりよく十分に行うことはできなかった。又、例えたまたま良好にシンニング加工ができたとしても、単にシンニング形成のために回転砥石とドリルとを当接させただけの加工の場合には、シンニング加工部（シンニング面）に、砥石に使用される砥粒の粒度に起因する凹凸（加工エッジ）がそのまま残ってしまうという問題があった。
【００１４】
ドリル自体を微細径とすればする程に、ドリルを加工する砥石の砥粒がドリルの先端部の形状に対して相対的に大きくなり、砥粒に起因する刃先エッジの凹凸はチッピングを誘発し易い状況となる。ドリルの先端部の形状は複雑であり、種々の凸部や凹部が組み合わさって先端を形成しているため、他の被切削材に比べてチッピングが生じる可能性が特に高いことも影響していると思われる。
【００１５】
更に、単にシンニング形成のために回転砥石とドリルとを当接させただけの場合には、シンニング面とその他の部分との境界部（以下「シンニングエッジ」という。）に、切削により生じたバリがそのまま残ってしまう。このバリは、ドリルの孔あけ抵抗を増大させると共に、切粉の溶着を促進する原因ともなり得るが、これについても微細径ドリルほど、僅かなバリが折損に大きな影響を及ぼし易い。
【００１６】
このように、微細径ドリルは、微細な孔加工が求められると同時に、ドリル自体の耐久性が強く求められるが、ドリルの径を微細にすればする程、チッピングやシンニングエッジの問題が一層大きくなるという事情があった。
【００１７】
本発明は、これらの問題点を解決するべくなされたものであって、特に微細径ドリルの耐久性能を向上させることをその課題としている。
【課題を解決するための手段】
【００１８】
本発明は、シンニング加工をしようとするドリルを保持可能なチャックユニットと、回転砥石を有する砥石ユニットと、前記ドリルのシンニング加工状態において、該ドリルのシンニング加工部が前記砥石の切削面に対して揺動するように、前記チャックユニットを所定の位置を中心とする曲面に沿って回動させる回動機構と、を備えてドリルのシンニング装置を構成することによって、上記課題を解決するものである。
【００１９】
又、本発明は、ドリルに対するシンニング形成方法であって、回転砥石により前記ドリルにシンニングを形成した状態で、該ドリルのシンニング加工部を前記回転砥石の切削面に対して揺動するように、前記ドリルを保持するチャックユニットを所定の位置を中心とする曲面に沿って回動する工程を経てシンニングを形成することにより、同様に上記課題を解決するものである。
【００２０】
シンニング面の周囲に存する刃先のエッジ、つまりシンニングエッジの凹凸の程度が大きければ、ドリルによる孔あけ加工時の外部から加わる力によって、チッピングが生じやすい。換言すれば、シンニング面とその周辺の刃先のエッジ、つまりシンニングエッジをできるだけ平滑な状態に仕上げることができれば（面粗度を向上させることができれば）、チッピングの原因を取り除くことができる。又、シンニング面の平滑化は、切粉の溶着を低減できる効果がある。
【００２１】
本発明では上記の構成、特に「揺動させる」という構成を採用することで、ドリル先端に意図した形状の（大きくなりすぎない）シンニングを正確に形成するという効果を維持しながら、形成されたシンニング面の面粗度を向上させ、更に、シンニング形成により生じるシンニングエッジ部のバリを取り除くことができる。
【００２２】
又、前記ドリル（のシンニング形成状態）を、直径が０．５ｍｍ以下の微細径ドリルで構成してもよい。
【００２３】
これにより、熟練工に頼ることなく、特別な技術を要せずに手軽に正確なシンニング加工を施すことができる。
【００２４】
又、前記回動機構を、少なくとも前記ドリルの軸方向の位置を固定したまま、前記チャックユニットを回動するように構成してもよい。
【００２５】
これにより、チャックユニットに複雑な動きを要求することなく揺動動作を実現でき、誤差による加工精度の低下を防止することができる。
【００２６】
又、前記回転砥石の、自身の回転中心を通る断面端部を円弧とし、前記所定の位置を、前記円弧の中心として構成してもよい。
【００２７】
これにより、揺動によるシンニング面の過大化（本来予定したシンニング面を超えてシンニング面が形成されること）を最小限に抑えつつ、シンニング面の面粗度を向上させることが可能となっている。
【００２８】
又、前記所定の位置を、前記ドリルの軸心として構成してもよい。
【００２９】
これにより、チャックユニットにおける回動機構部の設計をより簡易に行うことが可能となる。
【発明の効果】
【００３０】
本発明を適用することにより、特に微細径ドリルにおいて、微細孔加工時における加工点の温度上昇、切粉の溶着等を防止することで、耐久性のあるドリルを製造することができる。
【発明を実施するための最良の形態】
【００３１】
以下、添付図面を用いて本発明に係る実施形態の一例を詳細に説明する。
【００３２】
<シンニング装置の構成>
図１は、本発明に係るシンニング装置の斜視図である。図２は、本発明に係るシンニング装置の正面図である。
【００３３】
シンニング装置１は、ベースとなる基台２の上に、回転砥石１１を有し特定の位置に設置固定された砥石ユニット１０と、シンニング加工をしようとするドリル３を保持可能なチャックユニット２０と、前記砥石ユニット１０に対して前記チャックユニット２０を少なくともドリル３の軸方向であるＹ軸方向及び該軸方向と水平面内の直角の方向であるＸ軸方向に移動、位置決め可能なステージユニット３０と、前記ドリル３のシンニング加工位置以外の所定の位置に、該ドリル３を位置決め可能とする位置決めユニット４０とを備える。
【００３４】
砥石ユニット１０は、略Ｌ字状のモータベース１７上に配置固定されたモータ１６と、該モータ１６の回転を伝達するカップリング１５と、該カップリング１５によって伝達されたモータ１６の回転を回転砥石１１へと伝達する砥石駆動軸１２と、該砥石駆動軸１２が回転自在に保持されるハウジング１４と、該ハウジング１４内に前記砥石駆動軸１２に回転自在に設けられた回転砥石１１とで構成されている。モータ１６の電源のＯＮ／ＯＦＦ及びモータ１６の回転速度は、モータ制御部１８によって、自由にコントロールすることが可能である。又、回転砥石１１は、自身の回転中心を通る断面が円弧とされたディスク型の回転砥石である（詳細は後述する）。
【００３５】
ステージユニット３０は、ドリル３の軸方向（以下単に「Ｙ軸方向」という。）に前記チャックユニット（詳細は後述する。）２０を移動、位置決めすることが可能なＹステージ３２と、Ｙ軸方向の移動を手動で微調整可能な手動調整用つまみ３２Ａと、Ｙ軸方向と直角となる方向（以下単に「Ｘ軸方向」という。）にチャックユニット２０を移動、位置決め可能なＸステージ３１と、これらのＸステージ３１及びＹステージ３２を制御するためのステージ制御部３３とから構成されている。これらのステージ３１、３２は、位置情報を検出するスケールを内蔵し、位置再現性が２〜３μｍの高精度が十分得られている市販のものが利用できることから、軽量なチャックユニット２０を移動させることとも相俟って、微細径のドリル３のシンニング加工にも十分対応可能である。なお、本実施形態においては採用されていないが、Ｘ−Ｙ平面に垂直な方向、即ち、チャックユニット２０を上下方向（以下単に「Ｚ軸方向」という。）に移動、固定させることが可能なＺステージを設けるような構成としてもよい。このような構成とすれば、径の異なる砥石にも対応でき、又、シンニング形成の自由度を向上させることができる。即ち、３次元の任意のシンニング形状を形成することが可能となる。
【００３６】
位置決めユニット４０は、Ｙ軸方向に厚みがあるプレート状のゲージ部４１と、該ゲージ部４１を支持するゲージ支持部４２とを備え、且つ、前記「所定の位置」をＹ軸方向から観察するため、搭載のぺデスタル（支持台）が調整可能であり、図８乃至図１０の観察・計測が容易となるようにＺ軸方向調整を可能としている。第１のカメラユニット４３及び、前記第１のカメラユニット４３が撮影した映像を映し出すことが可能なモニタ４４を備える。ゲージ部４１の表面（上面）には、Ｙ軸方向に貫通して、溝４１Ａが形成されている（図８参照。詳細は後述する。）。なお、本実施形態における位置決めユニットにはモニタ４４が含まれているが、モニタ自体は汎用の物を利用することも可能であり、その場合には省略可能である。第１のカメラユニット４３は、前記ゲージ部４１に設けられた溝４１Ａを、Ｙ軸方向から観察できるように配置され、ＣＣＤカメラ４５の先端に、鏡筒４６を介して対物レンズ４７が配置されている。このような構成により、ドリル先端の形状をドリルの軸方向から観察することができ、ゲージ部４１に設けられた溝４１Ａの形状とドリルの形状（位置）とを対比することにより（この点の詳細は後述する。）、ドリルのＸ軸方向の位置及びＺ軸方向の位置を特定することが可能となる。又、シンニングの状態、特に、１本のドリルに２箇所以上施されるシンニングが回転対称となるように、意図した大きさ及び深さに形成されているか否かを明確に判断することが可能となる。又、この対物レンズ４７の周囲には、リング照明４８が備わっており、観察位置に置かれたドリル先端の形状を明確に映し出すことを可能としている。この第１のカメラユニット４３で撮影された映像は、モニタ４４によってモニタリングが可能である。なお、図示していないが、当該シンニング装置１には、前述した第１のカメラユニット４３とは別に、ゲージ部４１をＹ軸と直角の方向、例えば、Ｘ軸方向又はＺ軸方向から撮影することが可能な第２のカメラユニットが備わっている。このような構成によって、当該第２のカメラユニットからの映像をもとに、ドリルのＹ軸方向の位置を特定することが可能となる。位置決めユニット４０は、加工位置Ｒから離れた位置に配置されているため、このように、砥石ユニット１０等が存在しない広い空間を利用して、治具（ゲージ）やカメラ等の比較的大型の精密センサ手段をその構成要素として備える。なお、位置決めユニットの構成態様は上記のものに限定されるものではなく、ドリルの位置決めができるものである限りにおいて種々の構成を採用可能である。
【００３７】
次に、図３及び図４を用いてチャックユニット２０について詳細に説明する。図３（Ａ）は、ドリルチャックユニット２０の斜視図、（Ｂ）は、同平面図、（Ｃ）は、同正面（ドリル装着側面）図、（Ｄ）は、同右側面図、（Ｅ）は、同背面（ドリル非装着側面）図、図４は、ドリルチャックユニットの部分分解構成図である。
【００３８】
チャックユニット２０においては、ドリル３を直接保持するチャック２１Ｂと、該チャック２１Ｂが備わる筒状のチャック本体２１Ａとが、回動本体２３Ａに対して回転可能に保持されている。チャック本体２１Ａは、回動本体２３Ａを貫通する態様で、回転用円板２４Ａと連通している。チャック本体２１Ａと回転用円板２４Ａとは、回転用円板２４Ａに形成されたボルト孔２４Ａ´に螺合する回転用円板固定用ボルト２４Ｅによって固定されている。又、回動本体２３Ａを貫通して配置されるチャック本体２１Ａには、回動本体２３Ａの正面側にリング状のチャック本体軸方向固定第１プレート２５Ａが配置され、同背面側にもリング状のチャック本体軸方向固定第２プレート２５Ｂが配置されている。これらの両プレートは、自身に形成されたボルト孔２５Ａ´、２５Ｂ´にそれぞれ螺合するボルト２３Ｍによって、チャック本体２１Ａに固定されており、チャック本体２１Ａ軸方向の位置を規制可能とされている。この際、チャック本体２１Ａがその軸廻りに回転できるように、回動本体２３Ａ、チャック本体軸方向固定第１プレート２５Ａ、同第２プレート２５Ｂ間の軸方向には適切な隙間が確保されている。又、上述したチャック本体軸方向固定第２プレート２５Ｂには、ノックピン２５Ｃが形成されている。更に、当該チャック本体軸方向固定第２プレート２５Ｂを包むように前記回転用円板２４Ａと略同径の回転ベース２４Ｂが設置されている。この回転ベース２４Ｂには円周方向１８０°に渡って回転規制溝２４Ｄが形成されており、当該溝２４Ｄにノックピン２５Ｃが嵌合するように配置されている。又、回転ベース２４Ｂは、自身に形成されたボルト孔２４Ｂ´に螺合する回転ベース固定用ボルト２４Ｃによって、回動本体２３Ａ（の凸部分）に固定されている。即ち、ノックピン２５Ｃが回転規制溝２４Ｄの溝端部（溝端Ａ部２４Ｄ１、溝端Ｂ部２４Ｄ２）に当接規制されることによって、ドリル３を簡易且つ正確に１８０°回転させることが可能となっている。当該回動本体２３Ａの上面には、自身を貫通しチャック本体２１Ａ（回転用円板２４Ａ）まで当接可能なチャック本体固定用ボルト２３Ｅが装着されており、該ボルト２３Ｅを緩めたり締めこむことによって、回動本体２３Ａに対して回転用円板２４Ａ、即ち、チャック本体２１Ａ更にはドリル３を自由に回転させたり、固定させたりすることが可能となっている。
【００３９】
回動本体２３Ａの下側には、所定の回動中心（詳細は後述する。）を中心とした円弧を描く扇状の回動ブロック２３Ａ´が備わっている。この回動ブロック２３Ａ´に対応するように、回動ベース２３Ｂが配置されている。即ち、回動ブロック２３Ａ´に形成された曲面ｒ´と、回動ベース２３Ｂに設けられた曲面ｒとが同一の中心点を持つ円弧形状とされている。
【００４０】
回動ベース２３Ｂの正面側には、第１支持板２３Ｆが配置され、回動本体２３Ａ（回動ブロック２３Ａ´）の正面側の位置を規制している。なお、第１支持板２３Ｆはボルト２３Ｈによって回動ベース２３Ｂに固定されている。同様に、回動ベース２３Ｂの背面側には、第２支持板２３Ｇが配置され、回動本体２３Ａの背面側の位置を規制している。この第２支持板２３Ｇも、ボルト２３Ｈによって回動ベース２３Ｂに固定されている。又、回動ブロック２３Ａ´には正面側から背面側に貫通する態様で曲面ｒ´に沿ったガイド溝２３Ｋが形成されており、当該ガイド溝２３Ｋ内に嵌合するフォロアーベアリング２３Ｌが、第１支持板２３Ｆ及び第２支持板２３Ｇに固定されている。又、回動ベース２３Ｂには、第１回動ボルト２３Ｃを支持している第１回動ボルト支持板２３Ｉと、第２回動ボルト２３Ｄを支持している第２回動ボルト支持板２３Ｊとが形成されており、これらの支持板２３Ｉ、２３Ｊを貫通螺合して各回動ボルト２３Ｃ、２３Ｄが回動本体２３Ａにおける回動ブロック２３Ａ´側面に当接している。即ち、各回動ボルト２３Ｃ、２３Ｄの締め込み量を調整することによって、チャック本体２１Ｂが保持するドリル３を回動（回転砥石に対する揺動）させることが可能となっている。このように本実施形態における回動機構は、少なくともドリルの軸方向の位置を固定したまま、チャックユニット（回動本体）が回動するように構成されている。これにより、チャックユニットに複雑な動きを要求することなく揺動動作を実現でき、誤差による加工精度の低下を防止している。
【００４１】
なお、前述した回転用円板２４Ａ、回転ベース２４Ｂ、回転ベース固定用ボルト２４Ｃ、回転規制溝２４Ｄ、回転用円板固定ボルト２４Ｅ、ノックピン２５Ｃとで回転機構部２４を構成している。
【００４２】
更に、回動本体２３Ａ（回動ブロック２３Ａ´）及び回動ベース２３Ｂ及び第１回動ボルト２３Ｃ、第２回動ボルト２３Ｄ、チャック本体固定用ボルト２３Ｅ、第１支持板２３Ｆ、第２支持板２３Ｇ、ボルト２３Ｈ、第１回動ボルト支持板２３Ｉ、第２回動ボルト支持板２３Ｊ、ガイド溝２３Ｋ、フォロワーベアリング２３Ｌにより回動機構部２３を構成している。
【００４３】
<シンニング形成手順>
次に、当該シンニング装置１を用いたシンニング形成手順について図５乃至図７を参照しつつ説明する。図５は、シンニング加工工程を示すフローチャートであり、図６は、シンニング装置の平面図であって、シンニング加工位置と観察位置との関係を表わした図であり、図７は、加工位置における回転砥石とドリル先端の関係図である。
【００４４】
最初に、シンニング装置１の各部の電源がＯＮとされる（Ｓ１）。具体的には、ステージ制御部３３の電源、映像信号処理装置（図示しない）の電源、モニタ４４の電源、モータ制御部１８の電源、リング照明４８の電源等がＯＮとされる。
【００４５】
次に、チャックユニット２０を、加工しようとするドリル３が取り付けし易い位置（例えば図６における加工位置と観察位置の間）に移動させた上で、ドリル３を取付ける（Ｓ２）。より具体的には、チャック部２１の背面に存するチャック締付けボルト２２を弛めた上で、ドリル３をチャック本体２１Ａへと取り付ける。その後チャック締付けボルト２２を締め付けることによって、ドリル３の取り付けが完了する。
【００４６】
次に、シンニングを形成するための各種データ、例えば、形成しようとするシンニングの幅や深さ、形状、更にはドリルの径の情報などを予め入力する（Ｓ３）。なお、ドリルの種類やシンニングの形状等が常に一定である場合には、予め装置に当該データを記憶させておくことによって、この工程を省略することも可能である。なお、これらのデータを当該シンニング装置１自体が記憶することは、本発明の必須の構成要素ではない。
【００４７】
次に、ドリル３の取り付けが終ったチャックユニット２０を観察位置（位置決めすべき所定の位置）へと移動させる（Ｓ４）。具体的には、ステージ制御部３３を操作することによって、位置決めユニット４０に備わるゲージ部４１における溝４１Ａの位置まで移動させる。
【００４８】
次に、観察位置まで移動したドリル３が位置決めユニット４０において予め設定された原点に位置するように調整される（Ｓ５）。
【００４９】
次に、正しく原点に位置しているか否かが確認され（Ｓ６）、原点にない場合にはステップＳ５に戻り再調整され、原点にある場合はステップＳ７へと進む。
【００５０】
次に、ドリルチャック２２Ｂに保持されたドリル３の回転姿勢が適切となるように調整される（Ｓ７）。
【００５１】
次に、姿勢が適切かどうかが判断され（Ｓ８）、適切な姿勢に無い場合にはステップＳ７へと戻り再調整され、姿勢が適切な場合にはステップＳ９へと進む。これらのステップＳ５〜Ｓ８の具体的な方法については、別途後述する。
【００５２】
次に、チャックユニット２０を加工位置へと移動させる（Ｓ９）。このときの加工位置への移動は、先程調整した原点のデータに基づいて、ステージユニット３０を駆動制御（フィードフォワード）することによって移動する。
【００５３】
次にシンニング加工が施される（Ｓ１０）。当該加工は、ステップＳ３で入力されたデータ、及び原点のデータを基にステージユニット３０を駆動制御することで実現する。この加工は、図７に示されるように、ドリル３の加工位置と砥石１１の回転中心Ｍとを結ぶ線Ｌ１と、砥石１１の回転中心Ｍを通るＹ軸と平行な線Ｌ２とで作る角度αが、４０°±１０°となる位置とされている。これよりも小さな角度の場合には、後述する揺動動作を行おうとする場合に不適となる。勿論、揺動を行わないと仮定すればより小さな角度でも問題ない。又、これよりも角度が大きいと、シンニング加工自体を適切に行うことができなくなってしまう。図７に示す位置関係は、本装置の基本位置を示すものであって、ドリルの太さに応じて所望のシンニング形状を得るために、Ｙ軸方向位置とＺ軸方向位置を変更することができる。
【００５４】
続いて揺動が行なわれる（Ｓ１１）。具体的には、第１回動ボルト２３Ｃ、及び第２回動ボルト２３Ｄを順次締め込むことによって回動本体２３Ａを回動させることで、回転砥石１１の切削面に対してドリル３のシンニング加工面を揺動させている。手順としては、例えば、最初に第１回動ボルト２３Ｃを締め込むことによって、チャックユニット２０に保持されたドリルを、ドリル先端側に向かって右方向に回動させる。次に、第１回動ボルト２３Ｃを弛めつつ、第２回動ボルト２３Ｄを締め込むことによって、チャックユニット２０に保持されたドリルを、ドリル３のドリル先端側に向かって左方向へと回動させる。以降同様の操作を繰り返し行ってもよい。なお、揺動（回動）の詳細な動き及びその作用については別途後述する。又、本実施形態においては、第１、第２の回動ボルト２３Ｃ、２３Ｄを用いた手動調整とされているが、これに限られるものではなく、例えばモータ等と連動して回動動作を自動で制御するように構成しても良い。
【００５５】
次に、再び観察位置（原点）へとチャックユニット２０を移動させる（Ｓ１２）。
【００５６】
次に、前記第１のカメラユニット４３を通してモニタ４４に映し出された映像によって、シンニングの状態が確認される（Ｓ１３）。
【００５７】
このとき、シンニングの状態が良好か否かが判断され（Ｓ１４）、シンニングの状態が良好なとき、即ち、当該部分のシンニング加工が完了している場合はステップＳ１８へと進み、シンニング状態が良好でない場合、即ち、当該部分のシンニング加工が未だ完了していない場合はステップＳ１５へと進む。
【００５８】
ステップＳ１５へと進んだ場合には、更に再加工の余地があるか否かが判断される。このとき、シンニング形成の際の切削量が多過であったり、不良の場合には当該ドリルの加工は中止される（Ｓ１６）。
【００５９】
一方、再加工の余地が有る場合には、ステップＳ５（或いはステップＳ９）へと戻り、シンニングの再加工がなされる（Ｓ１７）。
【００６０】
次に、行なわれたシンニングの状態が良好な場合には、当該ドリル３に対してシンニング加工が２箇所施されたかどうかが判断される（Ｓ１８）。既に２箇所シンニング加工が施されている場合にはステップＳ１９へと進み、当該ドリルに対するシンニングは終了する。
【００６１】
一方、未だ２箇所のシンニングが終了していない場合にはステップＳ２０へと進む。
【００６２】
次に、ドリルを１８０°回転させる（Ｓ２０）。具体的には、チャック本体固定用ボルト２３Ｅを緩め、回転用円板２４Ａを回転させることによって調整する。このとき、予め回転ベース２４Ｂに形成された回転規制溝２４Ｄの一方の溝端（溝端Ａ部２４Ｄ１若しくは溝端Ｂ部２４Ｄ２）にノックピン２５Ｃが当接するように調整した状態でシンニング加工が行われているため、チャック本体固定用ボルト２３Ｅを緩めて、回転用円板２４Ａが回る限度まで回転させることにより、他方の溝端部にノックピン２５Ｃが当接し、簡易且つ正確に１８０°の回転が実現できる。最後にチャック本体固定用ボルト２３Ｅを締め付ければ回転作業は完了する。なお、ここでもドリル３の回転姿勢の制御は手動で行なわれる構成としているが、モータ等を利用して自動的に行なうような構成としてもよい。
【００６３】
次に、ステップＳ５（或いはステップＳ９）へと戻り、２箇所目のシンニング加工が施される（Ｓ２１）。
【００６４】
このように、当該装置におけるシンニング形成においては、重量のある砥石ユニットは固定されており移動することは無い。結果として、砥石の位置変動要素を取り除くことができ、加工の際の位置精度が向上する。加えて、原点からのステージユニットの駆動によりシンニング形成を行うため、熟練工でなくとも常に同品質のシンニングの形成を手軽に行うことが可能である。
【００６５】
<位置決めユニット４０を用いた原点位置決め>
次に、図８乃至図１０を参照しつつ、位置決めユニット４０を用いた原点への位置決めについて説明する。図８は、第１のカメラユニット４３から見たドリル３の先端と位置決めユニット４０の関係図であり、図９は、モニタ４４の画面上に用意される位置決め用パネル５６を示す図であり、図１０（Ａ）は、図８の状態を上側（Ｚ軸側）から見た図、（Ｂ）は、（Ａ）のＲ部拡大図である。なお、いずれの図面も、理解容易のために、縮尺を誇張して表現している。
【００６６】
原点Ｏの位置に対するドリル３のＸ軸方向の位置合わせ及び、Ｚ軸方向の位置合わせは、図８に示したように、ゲージ部４１に設けられた溝４１Ａの形状と、加工しようとするドリル３の形状とを比較することにより行われる。
【００６７】
ゲージ部４１の表面には、Ｙ軸方向に貫通する態様で、半円状の溝４１Ａが形成されている。当該部分は、第１のカメラユニット４３によって、モニタ４４に映像として映し出されている（図８参照）。一方、図９に示すように、ゲージ部４１における溝４１Ａの形状に対してＸ軸方向及びＺ軸方向の原点Ｏの位置を示した位置決めパネル５６が用意されている。当該位置決めパネル５６は、モニタに映し出された溝４１Ａ映像（ドリルの太さに応じて５０〜５００倍に適宜に拡大された第１カメラユニット４３の映像）を基準として、原点Ｏの位置が予め記載されたパネルである。なお、原点Ｏ自体の位置出しは、予め高精度の中実軸であるピンゲージ（図示略）等を用いてモニタ画面上で割り出しておく。この位置決めパネル５６を用いて、ゲージ部４０の表面における溝４１の左右の面（Ａ面及びＥ面）のラインと、ドリル３のチゼルエッジに相当するライン（Ｂ面）が同一線上となるように調整することで、原点ＯのＺ軸方向の座標にドリル３の先端を合わせることができる。更に、ドリル３の回転姿勢を調整することもできる。ここで、ドリル３の回転姿勢の調整方法としては、チャック本体固定用ボルト２３Ｅを弛めた後、回転用円板２４Ａを使い、モニタ４４の画面上でドリル３（チャック本体２１Ａ）を回転し所定の回転姿勢に合致させ、適当な位置でチャック本体固定用ボルト２３Ｅを締付けて行う。又、ドリルと溝４１Ａとの間に生じる左右の隙間（Ｃ及びＤ）の大きさが等しくなる位置に調整することで、原点ＯのＸ軸方向の座標にドリル３を合わせることができる。実際は、パネル面にドリルの大きさに対応する円が描かれていることによって、当該円に位置するように調整すれば足りる。この位置決めパネル５６は、透明なアクリル板などで作成されているため、モニタ４４の画面上に重ねる（溝４１Ａの形状が合うように重ねる）ことによって、ドリル３の原点を示すことが可能である。ユーザーは単にモニタ４４を確認しながら示された位置（円）にドリルを移動させることで簡単にＸ軸方向及びＺ軸方向の位置を特定できる。また、位置調整の容易さを増すために、市販のカーソルやパターン投影装置を併用して、モニタ４４の画面上において、カメラユニット４３による画像にカーソルやパターンを適宜重ねてもよい。
【００６８】
このように、位置決めユニット４０の機能により、ドリル３を何らのセンサ手段とも非接触状態を保ったままでドリル３の正確な位置決めが可能であり、位置決めの際に接触による折損が生じる恐れはない。なお、当該パネルはドリルの径に応じて複数枚用意してもよいし、１枚のパネル面上に各径に対応した位置（円）を示しておいてもよい。また、位置調整の容易さを増すために、市販のカーソルやパターン投影装置を併用して、モニタ４４の画面上において、カメラユニット４３による画像にカーソルやパターンを適宜重ねてもよい。又、モニタ４４の画面上に直接位置決めパネル５６相当の画像をレイヤ表示してもよい。モニタ４４に映し出される映像は、ドリルの太さに応じて５０〜５００倍に適宜に拡大された映像であるため、このような簡単な調整であっても、ミクロン単位での位置精度が確保されている。
【００６９】
一方、原点のＹ軸方向の座標の決定は、ゲージ部４１をＸ軸方向又はＺ軸方向から撮影することのできる第２のカメラユニット（図示していない。）の映像を利用して、図１０に示すように、ゲージ部４１の基準面４１Ｂにドリル３の先端部が位置するように調整を行う。この調整によって、ドリル３の原点ＯへのＹ軸方向の位置合わせが行われる。
【００７０】
<揺動（回動）動作及びその作用>
ステップＳ１１における揺動（回動）の動作及びその作用について、図１１乃至図１３を参照しつつ説明する。図１１は、チャックユニット２０の回動中心を示す図であり、図１２は、回転砥石に対して揺動するドリルの回動状態を示す図であり、図１３は、揺動（回動）の効果を模式的に示す図であって、（Ａ）は揺動（回動）をしない場合を示した図、（Ｂ）は揺動（回動）をした場合を示す図である。
【００７１】
チャックユニット２０の回動本体２３Ａは、回動中心Ｏ１を中心として回動する構成とされている。即ち、回動ブロック２３Ａ´に形成された曲面ｒ´と、回動ベース２３Ｂに設けられた曲面ｒとがこの回動中心Ｏ１を中心とした半径Ｒの円弧で形成されている。本実施形態においては、この回動中心Ｏ１は、図１２に示すように回転砥石の円弧中心となるように設定されている。即ち、本実施形態における回転砥石１１の回転中心を通る断面は円弧Ｓとされており、該砥石断面の円弧Ｓと、前記曲面ｒ及びｒ´とが同心円とされている。なお、念のため説明すると、本実施形態においては、チャック２２Ｂに保持されるドリル３の軸心と回動中心Ｏ１とは一致していない。
【００７２】
このような構成とすることによって、回動機構部２３を操作すれば、ドリル３のシンニング面が砥石の切削面（円弧Ｓ）に沿って揺動することになる（図１２参照）。即ち、揺動によるシンニング面の過大化（本来予定したシンニング面を超えてシンニング面が形成されること）を最小限に抑えつつ、シンニング面の面粗度を向上させることが可能となっている。なお、回動中心Ｏ１は上記の例に限られるものではなく、例えば、ドリル３の軸心Ｏと一致させるように構成してもよい。そのように構成すれば、チャックユニットにおける回動機構部の設計をより簡易に行うことが可能となる。
【００７３】
この面粗度が向上するという作用を、図１３を用いて説明する。砥石の砥面は、砥粒が密に集まって構成されているため、回転砥石によって単に切削しただけの場合（揺動しない場合）には、砥石の回転方向に沿って、略砥粒の直径程度の凹凸（加工エッジ）が生じてしまう。これは砥粒の物理的な大きさの限界から生じるものであり、砥粒の径を更に微細なものに変える以外には解決できない問題である。しかし、砥石を回転させたままで、砥石と切削部材（ドリル）とを、揺動によって回転砥石の回転方向と略直交する方向に相対移動させることによって、加工エッジの大きさは縮小される。なお、図１３においては、説明の便宜上、砥石側が揺動するような図として示している。具体的な試験結果を示すと、シンニング面（加工面）の平均高さ粗さをＲａ、最大高さ粗さをＲｚとした場合に、揺動しない場合にはＲａ＝０．０１６４μｍ、Ｒｚ＝０．０９１４μｍであったものが、揺動を行った場合には同様の条件下で、Ｒａ＝０．０１１５μｍ、Ｒｚ＝０．０４５９μｍとなっている（数値は非接触３次元測定機による２回測定の平均値）。即ち、ドリルのシンニング面を回転砥石の切削面に対して揺動させることによって、シンニング面の面粗度を向上させることが可能となる。
【００７４】
更に、揺動することによって、シンニング形成により生じることのあるバリ（シンニングエッジのバリ）を落とす効果もある。
【００７５】
面粗度の向上及びバリの除去により、単に（揺動しないで）シンニングを施しただけのドリルに比べて、孔あけ加工点の温度上昇が更に抑制され、切粉の排出性が向上し、溶着を防止できる。その結果として耐久性に優れたドリルを製造することが可能となっている。
【００７６】
なお、本実施形態では、揺動のための回動機構がチャックユニット２０側に備わっていたが、例えば、回転砥石ユニット１０の側に回動機構を設けることで、同様の効果を得ることも可能である。
【００７７】
又、本明細書においては、シンニングのみを形成する装置として記載しているが、これに限定される趣旨のものではなく、例えば、ドリル自体を製造するドリル製造装置に組み込んで構成してもよい。
【００７８】
又、実施形態の説明では、微細径のドリルであることを前提として説明しているが、本発明に係るシンニング装置やシンニング形成方法は微細径ドリルだけに限定されるものではなく、より太い径を有するドリルに対して適用しても、シンニングの形成精度を向上させることができ有用である。
【産業上の利用可能性】
【００７９】
本発明に係るシンニング装置を用いてシンニング形成された微細径のドリルは、例えば、高密度プリント基板をはじめディーゼルエンジン用燃料噴射ノズルに対する孔あけや化繊紡糸ノズルに対する孔あけ、メガチップの半田ボール用治具に対する孔あけ等に対して非常に適している。
【図面の簡単な説明】
【００８０】
【図１】本発明に係るシンニング装置の斜視図
【図２】本発明に係るシンニング装置の正面図
【図３】（Ａ）はドリルチャックユニットの斜視図、（Ｂ）は、同平面図、（Ｃ）は、同正面図、（Ｄ）は、同右側面図、（Ｅ）は、同背面図
【図４】ドリルチャックユニットの部分分解構成図
【図５】シンニング加工工程を示すフローチャート
【図６】シンニング装置の平面図であって、シンニング加工位置と観察位置との関係を表わした図
【図７】加工位置における回転砥石とドリル先端の関係図
【図８】第１のカメラから見たドリル先端と位置決めユニットの関係図
【図９】モニタ側に用意された位置決め用パネル
【図１０】（Ａ）は、図８の状態を上側（Ｘ軸側）から見た図、（Ｂ）は、（Ａ）のＲ部詳細拡大図
【図１１】チャックユニットの回動中心を示す図
【図１２】回転砥石に対して揺動するドリルの回動状態を示す図
【図１３】揺動（回動）の効果を模式的に示す図であって、（Ａ）は、揺動（回動）をしない場合を示した図、（Ｂ）は、揺動（回動）をした場合を示す図
【符号の説明】
【００８１】
１…シンニング装置
２…基台
３…ドリル
１０…砥石ユニット
１１…回転砥石
１２…砥石駆動軸
１４…ハウジング
１５…カップリング
１６…モータ
１７…モータベース
１８…モータ制御部
２０…チャックユニット
２１…チャック部
２１Ａ…チャック本体
２１Ｂ…チャック
２２…チャック締付けボルト
２３…回動機構部
２３Ａ…回動本体
２３Ａ´…回動ブロック
２３Ｂ…回動ベース
２３Ｃ…第１回動ボルト
２３Ｄ…第２回動ボルト
２３Ｅ…チャック本体固定用ボルト
２３Ｆ…第１支持板
２３Ｇ…第２支持板
２３Ｈ…ボルト
２３Ｉ…第１回動ボルト支持板
２３Ｊ…第２回動ボルト支持板
２３Ｋ…ガイド溝
２３Ｌ…フォロワーベアリング
２３Ｍ…チャック本体軸方向固定ボルト
２４…回転機構部
２４Ａ…回転用円板
２４Ｂ…回転ベース
２４Ｃ…回転ベース固定用ボルト
２４Ｄ…回転規制溝
２４Ｄ１…溝端Ａ部
２４Ｄ２…溝端Ｂ部
２４Ｅ…回転円板固定用ボルト
２５…チャック本体軸方向固定部
２５Ａ…チャック本体軸方向固定第１プレート
２５Ｂ…チャック本体軸方向固定第２プレート
２５Ｃ…ノックピン
３０…ステージユニット
３１…Ｘステージ
３２…Ｙステージ
３２Ａ…手動調整用つまみ（Ｙステージ）
３３…ステージ制御部
４０…位置決めユニット
４１…ゲージ部
４１Ａ…溝
４１Ｂ…基準面
４２…ゲージ支持部
４３…第１カメラユニット
４４…モニタ
４５…ＣＣＤカメラ
４６…鏡筒
４７…対物レンズ
４８…リング照明
５６…位置決めパネル
Ｍ…砥石回転中心
Ｏ…ドリル軸心
Ｏ１…回動中心
【図１】
2007203427.tif 000003
【図２】
2007203427.tif 000004
【図３】
2007203427.tif 000005
【図４】
2007203427.tif 000006
【図５】
2007203427.tif 000007
【図６】
2007203427.tif 000008
【図７】
2007203427.tif 000009
【図８】
2007203427.tif 000010
【図９】
2007203427.tif 000011
【図１０】
2007203427.tif 000012
【図１１】
2007203427.tif 000013
【図１２】
2007203427.tif 000014
【図１３】
2007203427.tif 000015